(57)【要約】【課題】  工業所有権に関わる文献情報に関連する文献情報の認識が簡単な構成で容易な工業所有権に関わる文献情報検索システムを提供する。【解決手段】  出願人を特定する出願人名情報、国県コード情報および日本語法人格情報と、出願人が関連する集合を特定するグループコード情報とを個別のコード情報に関連付けて１つの検索データを複数記録したテーブル構造の読取マスタデータベース３５１を構築する。出願番号情報と、検索データと同一人格の出願人名情報とを、同一の検索データのコード情報と１つのレコードとして関連付けた報知データを複数記録した検索蓄積データベース３５２を構築する。検索対象の出願人と同一人格の検索データのコード情報とグループコード情報とを取得し、同一グループの他の検索データのコード情報を取得し、これらコード情報と同一の報知データの出願番号情報を取得し報知する。【選択図】 図３
2005099938.tif 000002
【特許請求の範囲】
【請求項１】
工業所有権に関わる項目の内容に関する項目内容情報を複数有し頒布される前記文献情報について検索するための工業所有権に関わる文献情報の検索データ構造であって、
前記頒布される文献情報の項目内容情報のうちの出願人の氏名または名称に関する出願人名情報と、前記出願人名情報に関連付けられ前記出願人が関連し合う集合を特定する集合特定情報と、を１つのレコードとしてそれぞれ個別のコード情報が関連付けられた検索データを複数記録したテーブル構造である
ことを特徴とした工業所有権に関わる文献情報の検索データ構造。
【請求項２】
請求項１に記載の工業所有権に関わる文献情報の検索データ構造であって、
前記検索データは、前記出願人が関連する所定の文献情報であって前記出願人の氏名または名称が変更する直前の出願人の氏名または名称の出願人名情報のレコードに関連付けられたコード情報を親コード情報として１つのレコードに関連付けている
ことを特徴とした工業所有権に関わる文献情報の検索データ構造。
【請求項３】
請求項２に記載の工業所有権に関わる文献情報の検索データ構造であって、
前記検索データは、前記出願人の氏名または名称が最新の出願人名情報である場合、親コード情報は空情報である
ことを特徴とした工業所有権に関わる文献情報の検索データ構造。
【請求項４】
請求項１ないし請求項３のいずれかに記載の工業所有権に関わる文献情報の検索データ構造であって、
前記検索データは、前記出願人の氏名または名称が変更した内容に関する変更内容情報を１つのレコードとして関連付けている
ことを特徴とした工業所有権に関わる文献情報の検索データ構造。
【請求項５】
請求項１ないし請求項４のいずれかに記載の工業所有権に関わる文献情報の検索データ構造であって、
前記検索データは、前記頒布される文献情報の出願人名情報に基づいて設定され法人格を特定する法人格特定コードに関する法人格特定コード情報と、前記頒布される文献情報の項目内容情報のうちの出願人の住所または居所に関する場所情報に基づいて設定され管轄地方自治を特定する地方自治特定コードに関する地方自治特定コード情報とを１つのレコードとして関連付けている
ことを特徴とした工業所有権に関わる文献情報の検索データ構造。
【請求項６】
工業所有権に関わる項目の内容に関する項目内容情報を複数有し頒布される前記文献情報について検索するための工業所有権に関わる文献情報の検索データ構造であって、
前記頒布される文献情報の項目内容情報のうちの出願番号に関する出願番号情報と、前記頒布される文献情報の項目内容情報のうちの出願人の氏名または名称に関する出願人名情報と、を１つのレコードとしてそれぞれ個別のコード情報が関連付けられた報知データを複数記録したテーブル構造である
ことを特徴とした工業所有権に関わる文献情報の検索データ構造。
【請求項７】
請求項６に記載の工業所有権に関わる文献情報の検索データ構造であって、
前記報知データのコード情報は、この報知データの出願人名情報と同一人格の出願人名情報を有した請求項１ないし請求項５のいずれかに記載の工業所有権に関わる文献情報の検索データ構造における前記前記検索データのコード情報と同一である
ことを特徴とした工業所有権に関わる文献情報の検索データ構造。
【請求項８】
請求項６または請求項７に記載の工業所有権に関わる文献情報の検索データ構造であって、
前記報知データは、前記頒布される文献情報の出願人名情報に基づいて設定され法人格を特定する法人格特定コードに関する法人格特定コード情報と、前記頒布される文献情報の項目内容情報のうちの出願人の住所または居所に関する場所情報に基づいて設定され管轄地方自治を特定する地方自治特定コードに関する地方自治特定コード情報とを１つのレコードとして関連付けている
ことを特徴とした工業所有権に関わる文献情報の検索データ構造。
【請求項９】
請求項１ないし請求項８のいずれかに記載の工業所有権に関わる文献情報の検索データ構造が演算手段にて読み取り可能に記録された
ことを特徴とした工業所有権に関わる文献情報の検索データ構造を記録した記録媒体。
【請求項１０】
工業所有権に関わる項目の内容に関する項目内容情報を複数有し頒布される文献情報について検索するための工業所有権に関わる文献情報検索装置であって、
前記頒布される文献情報における項目内容情報を読み取る読取手段と、
前記請求項１ないし請求項５のいずれかに記載の工業所有権に関わる文献情報の検索データ構造を読取マスタデータとして用い、前記読取手段にて前記頒布される文献情報の項目内容情報を読み取らせ、前記読取マスタデータの出願人名情報と同一人格の出願人に関する出願人名情報を有した前記文献情報の出願番号に関する出願番号情報、および対応する前記読取マスタデータの出願人名情報に関連付けられたコード情報を、前記読み取った文献情報の出願人名情報に１つのレコードとして関連付けた報知データを報知可能に複数生成する検索データ生成手段と、
を具備したことを特徴とした工業所有権に関わる文献情報検索装置。
【請求項１１】
工業所有権に関わる項目の内容に関する項目内容情報を複数有し頒布される文献情報について検索するための工業所有権に関わる文献情報検索装置であって、
前記頒布される文献情報における項目内容情報を読み取る読取手段と、
前記頒布される文献情報の項目内容情報のうちの出願人の氏名または名称に関する出願人名情報および前記出願人名情報に関連付けられ前記出願人が関連し合う集合を特定する集合特定情報を１つのレコードとしてそれぞれ個別のコード情報が関連付けられた検索データを複数記録した読取マスタデータを記憶する記憶手段と、
前記読取手段にて前記頒布される文献情報の項目内容情報を読み取らせ、前記読取マスタデータの出願人名情報と同一人格の出願人に関する出願人名情報を有した前記文献情報の出願番号に関する出願番号情報、および対応する前記検索データの出願人名情報に関連付けられたコード情報を、前記読み取った文献情報の出願人名情報に１つのレコードとして関連付けた報知データを報知可能に複数生成する検索データ生成手段と、
を具備したことを特徴とした工業所有権に関わる文献情報検索装置。
【請求項１２】
請求項１０または請求項１１に記載の工業所有権に関わる文献情報検索装置であって、
所定の出願人に関する文献情報の検索を要求する旨の要求情報を取得する要求情報取得手段と、
この要求情報取得手段にて前記要求情報を取得すると、この要求情報に記載された所定の出願人と同一人格の出願人に関する出願人名情報を有した前記読取マスタデータの検索データを検出し、この検出した検索データのコード情報および集合特定情報を取得し、この取得した集合特定情報を有した他の検索データのコード情報を取得し、これら取得したコード情報および前記取得したコード情報を有した前記報知データを検出し、この検出した報知データの出願番号情報を取得して出願番号を報知する制御をする報知制御手段と、
を具備したことを特徴とした工業所有権に関わる文献情報検索装置。
【請求項１３】
工業所有権に関わる項目の内容に関する項目内容情報を複数有し頒布される文献情報について検索するための工業所有権に関わる文献情報検索装置であって、
請求項１ないし請求項５のいずれかに記載の工業所有権に関わる文献情報の検索データ構造を記憶する第１の記憶手段と、
請求項６ないし請求項８のいずれかに記載の工業所有権に関わる文献情報の検索データ構造を記憶する第２の記憶手段と、
所定の出願人に関する文献情報の検索を要求する旨の要求情報を取得する要求情報取得手段と、
この要求情報取得手段にて前記要求情報を取得すると、この要求情報に記載の前記所定の出願人と同一人格の出願人に関する出願人名情報を有した前記第１の記憶手段に記憶された検索データ構造の検索データを検出し、この検出した検索データのコード情報および集合特定情報を取得し、この取得した集合特定情報を有した他の検索データのコード情報を取得し、これら取得したコード情報および前記取得したコード情報を有した前記第２の記憶手段に記憶された検索データ構造の報知データを検出し、この検出した報知データの出願番号情報を取得して出願番号を報知する制御をする報知制御手段と、
を具備したことを特徴とした工業所有権に関わる文献情報検索装置。
【請求項１４】
工業所有権に関わる項目の内容に関する項目内容情報を複数有し頒布される前記文献情報について検索するための工業所有権に関わる文献情報検索システムであって、
所定の出願人に関する文献情報の検索を要求する要求情報を生成する検索要求手段と、検索結果を出力する出力手段と、を備えた端末装置と、
この端末装置がネットワークを介して送受信可能に接続され、前記要求情報を前記ネットワークを介して前記端末装置から取得する要求情報取得手段、および、この要求情報取得手段にて前記要求情報を取得すると、この要求情報に記載された所定の出願人と同一人格の出願人に関する出願人名情報を有した請求項１ないし請求項５のいずれかに記載の工業所有権に関わる文献情報の検索データ構造の検索データを検出し、この検出した検索データの前記コード情報および前記集合特定情報を取得し、この取得した集合特定情報を有した前記検索データ構造における他の検索データのコード情報を取得し、これら取得したコード情報および前記取得したコード情報を有した前記請求項６ないし請求項８のいずれかに記載の工業所有権に関わる文献情報の検索データ構造における報知データを検出し、この検出した報知データの前記出願番号情報を取得して出願番号を前記端末装置の出力手段にて前記検索結果として出力可能に前記ネットワークを介して前記端末装置へ出力する報知制御手段を備えたサーバ装置と、
を具備したことを特徴とした工業所有権に関わる文献情報検索システム。
【請求項１５】
工業所有権に関わる項目の内容に関する項目内容情報を複数有し頒布される前記文献情報について検索するための工業所有権に関わる文献情報検索システムであって、
所定の出願人に関する文献情報の検索を要求する要求情報を生成する検索要求手段と、検索結果を出力する出力手段と、を備えた端末装置と、
この端末装置がネットワークを介して送受信可能に接続され、前記頒布される文献情報における項目内容情報を読み取る読取手段、前記頒布される文献情報の項目内容情報のうちの出願人の氏名または名称に関する出願人名情報および前記出願人名情報に関連付けられ前記出願人が関連し合う集合を特定する集合特定情報を１つのレコードとしてそれぞれ個別のコード情報が関連付けられた検索データを複数記録した読取マスタデータを記憶する第１の記憶手段、前記読取手段にて前記頒布される文献情報の項目内容情報を読み取らせ、前記読取マスタデータの出願人名情報と同一人格の出願人に関する出願人名情報を有した前記文献情報の出願番号に関する出願番号情報、および対応する前記検索データの出願人名情報に関連付けられたコード情報を、前記読み取った文献情報の出願人名情報に１つのレコードとして関連付けた報知データを複数記録したテーブル構造の第２の記憶手段、前記要求情報を前記ネットワークを介して前記端末装置から取得する要求情報取得手段、および、この要求情報取得手段にて前記要求情報を取得すると、この要求情報に記載された所定の出願人と同一人格の出願人に関する出願人名情報を有した前記第１の記憶手段に記憶された読取マスタデータの検索データを検出し、この検出した検索データの前記コード情報および前記集合特定情報を取得し、この取得した集合特定情報を有した前記読取マスタデータにおける他の検索データのコード情報を取得し、これら取得したコード情報および前記取得したコード情報を有した前記第２の記憶手段に記憶された報知データを検出し、この検出した報知データの前記出願番号情報を取得して出願番号を前記端末装置の出力手段にて前記検索結果として出力可能に前記ネットワークを介して前記端末装置へ出力する報知制御手段を備えたサーバ装置と、
を具備したことを特徴とした工業所有権に関わる文献情報検索システム。
【請求項１６】
工業所有権に関わる項目の内容に関する項目内容情報を複数有し頒布される前記文献情報について演算手段により検索するための工業所有権に関わる文献情報検索方法であって、
前記演算手段は、
前記頒布される文献情報における項目内容情報を読み取り、
前記請求項１ないし請求項５のいずれかに記載の工業所有権に関わる文献情報の検索データ構造を読取マスタデータとして用い、この読取マスタデータの出願人名情報と同一人格の出願人に関する出願人名情報を有した前記頒布される文献情報の出願番号に関する出願番号情報と、対応する前記読取マスタデータの出願人名情報に関連付けられたコード情報とを、前記読み取った文献情報の出願人名情報に１つのレコードとして関連付けた報知データを報知可能に複数生成する
ことを特徴とする工業所有権に関わる文献情報検索方法。
【請求項１７】
工業所有権に関わる項目の内容に関する項目内容情報を複数有し頒布される文献情報について演算手段により検索するための工業所有権に関わる文献情報検索方法であって、
所定の出願人に関する文献情報の検索を要求する旨の要求情報を認識すると、この要求情報に記載された所定の出願人と同一人格の出願人に関する出願人名情報を有した請求項１ないし請求項５のいずれかに記載の工業所有権に関わる文献情報の検索データ構造における検索データを検出し、この検出した検索データのコード情報および集合特定情報を取得し、この取得した集合特定情報を有した前記検索データ構造における他の検索データのコード情報を取得し、これら取得したコード情報および前記取得したコード情報を有した請求項６ないし請求項８のいずれかに記載の工業所有権に関わる文献情報の検索データ構造における報知データを検出し、この検出した報知データの出願番号情報を取得して出願番号を報知する
ことを特徴とする工業所有権に関わる文献情報検索方法。
【請求項１８】
工業所有権に関わる項目の内容に関する項目内容情報を複数有し頒布される文献情報について端末装置からのネットワークを介した検索要求に基づいてサーバ装置にて検索し前記ネットワークを介して前記端末装置に報知する工業所有権に関わる文献情報検索方法であって、
前記サーバ装置は、
前記頒布される文献情報における項目内容情報を読み取り、
前記請求項１ないし請求項５のいずれかに記載の工業所有権に関わる文献情報の検索データ構造を読取マスタデータとして用い、この読取マスタデータの出願人と同一人格の出願人に関する出願人名情報を有した前記頒布される文献情報の出願番号に関する出願番号情報と、対応する前記読取マスタデータの出願人名情報に関連付けられたコード情報とを、前記読み取った文献情報の出願人名情報に１つのレコードとして関連付けた報知データを、前記ネットワークを介して前記端末装置で報知可能に複数生成する
ことを特徴とする工業所有権に関わる文献情報検索方法。
【請求項１９】
工業所有権に関わる項目の内容に関する項目内容情報を複数有し頒布される文献情報について端末装置からのネットワークを介した検索要求に基づいてサーバ装置にて検索し前記ネットワークを介して前記端末装置に報知する工業所有権に関わる文献情報検索方法であって、
前記サーバ装置は、
所定の出願人に関する文献情報の検索を要求する旨の要求情報を認識すると、この要求情報に記載された所定の出願人と同一人格の出願人に関する出願人名情報を有した請求項１ないし請求項５のいずれかに記載の工業所有権に関わる文献情報の検索データ構造における検索データを検出し、この検出した検索データのコード情報および集合特定情報を取得し、この取得した集合特定情報を有した前記検索データ構造における他の検索データのコード情報を取得し、これら取得したコード情報および前記取得したコード情報を有した請求項６ないし請求項８のいずれかに記載の工業所有権に関わる文献情報の検索データ構造における報知データを検出し、この検出した報知データの出願番号情報を取得し、この取得した出願番号情報を前記端末装置で出願番号を報知可能に前記ネットワークを介して前記端末装置へ出力する
ことを特徴とする工業所有権に関わる文献情報検索方法。
【請求項２０】
請求項１６ないし請求項１９のいずれかに記載の工業所有権に関わる文献情報検索方法を演算手段に実行させる
ことを特徴とした工業所有権に関わる文献情報検索プログラム。
【請求項２１】
請求項２０に記載の工業所有権に関わる文献情報検索プログラムが演算手段にて読み取り可能に記録された
ことを特徴とした工業所有権に関わる文献情報検索プログラムを記録した記録媒体。
【発明の詳細な説明】
【技術分野】
【０００１】
本発明は、工業所有権に関わる文献情報を検索するための工業所有権に関わる文献情報の検索データ構造、この検索データ構造を記録した記録媒体、その文献情報の検索データ構造を用いて関連する文献情報を検索するための工業所有権に関わる文献情報検索装置、そのシステム、その方法、そのプログラム、および、そのプログラムを記録した記録媒体に関する。
【背景技術】
【０００２】
従来、特許や実用新案、意匠、商標などの工業所有権に関する文献情報を検索する各種検索方法が知られている。例えば、文献情報の出願日や出願人などの検索項目に基づいて、文献情報を蓄積するデータベースから検索対象の文献情報を取得する構成などが取られている。この取得した文献情報として、例えば分割や出願変更などにより出願されたものであれば、原出願に関する出願番号などの関連した文献情報を合わせて取得できるように関連する文献情報に、元の文献情報を１つのレコードとして関連付けたデータ構造とする構成も知られている。また、所定の文献情報に対しての引用文献を検索する構成も知られている（例えば、特許文献１参照）。
【０００３】
この特許文献１に記載のものは、所定の記憶媒体に記憶されている特許情報から引用文献を検索し、この検索した引用文献に対する更なる引用文献を検索する動作を繰り返し、引用文献の引用期間と引用頻度に応じたランキングとに基づいて重要文献リストを作成する構成が採られている。
【０００４】
【特許文献１】特開２０００−１４８７８９号公報（第３頁右欄〜第５頁右欄）
【発明の開示】
【発明が解決しようとする課題】
【０００５】
しかしながら、上述したような従来の検索方法では、例えば出願人の名称変更などの場合、出願人の名称に変更された名称を関連付けておき、この関連付けられた出願人の名称および変更された名称のうちの少なくともいずれか一方に基づいて検索することにより、所望の文献情報を検索する構成が考えられる。しかしながら、出願人の合併、吸収合併など、さらにはこれらが複数回繰り返されると、出願人の名称で紐解くことが困難となり、所定の出願人が関連する全ての案件を検索することが困難となる。このため、工業所有権に関する文献情報における所定の出願人に関する文献情報を簡単な構成で容易に検索できる構成が望まれている。
【０００６】
本発明の目的は、このような点に鑑みて、工業所有権に関わる文献情報の出願人が関連する文献情報の認識が簡単な構成で容易な工業所有権に関わる文献情報の検索データ構造、この検索データ構造を記録した記録媒体、工業所有権に関わる文献情報検索装置、そのシステム、その方法、そのプログラム、および、そのプログラムを記録した記録媒体を提供することである。
【課題を解決するための手段】
【０００７】
本発明の工業所有権に関わる文献情報の検索データ構造は、工業所有権に関わる項目の内容に関する項目内容情報を複数有し頒布される前記文献情報について検索するための工業所有権に関わる文献情報の検索データ構造であって、前記頒布される文献情報の項目内容情報のうちの出願人の氏名または名称に関する出願人名情報と、前記出願人名情報に関連付けられ前記出願人が関連し合う集合を特定する集合特定情報と、を１つのレコードとしてそれぞれ個別のコード情報が関連付けられた検索データを複数記録したテーブル構造であることを特徴とする。
【０００８】
この発明では、工業所有権に関わる項目の内容に関する項目内容情報を複数有し頒布される文献情報における項目内容情報の出願人の氏名または名称に関する出願人名情報と、この出願人名情報に関連付けられ出願人が関連し合う集合を特定する集合特定情報と、を１つのレコードとしてそれぞれ個別のコード情報が関連付けられた検索データを複数記録したテーブル構造に構成している。このことにより、出願人が関連し合う文献情報の検索が簡単なデータ構造で可能となり、容易に検索できる構成が容易に得られる。
【０００９】
そして、本発明では、請求項１に記載の工業所有権に関わる文献情報の検索データ構造であって、前記検索データは、前記出願人が関連する所定の文献情報であって前記出願人の氏名または名称が変更する直前の出願人の氏名または名称の出願人名情報のレコードに関連付けられたコード情報を親コード情報として１つのレコードに関連付けている構成とすることが好ましい。このことにより、所定の文献情報における出願人の氏名または名称が変更する直前の出願人の名称または氏名の出願人名情報を有した他の検索データのコード情報を親コード情報として１つのレコードとして関連付けて検索データとしているので、出願人が関連し合う文献情報の検索が簡単なデータ構造で容易に得られる。
【００１０】
また、本発明では、請求項２に記載の工業所有権に関わる文献情報の検索データ構造であって、前記検索データは、前記出願人の氏名または名称が最新の出願人名情報である場合、親コード情報は空情報である構成とすることが好ましい。このことにより、出願人の氏名または名称が最新でこの出願人の氏名または名称が変更された文献情報が関連付けられない空情報であることから、出願人の氏名または名称が最新であることの検出が容易で、最新であることの検索処理が簡単なデータ構造で容易に得られる。
【００１１】
さらに、本発明では、請求項１ないし請求項３のいずれかに記載の工業所有権に関わる文献情報の検索データ構造であって、前記検索データは、前記出願人の氏名または名称が変更した内容に関する変更内容情報を１つのレコードとして関連付けている構成とすることが好ましい。このことにより、出願人の氏名または名称が変更した内容に関する変更内容情報を１つのレコードとして検索データに関連付けることで、出願人や文献情報の関係性が簡単な構成で認識可能となり、より詳細な検索結果の報知が得られる。
【００１２】
そして、本発明では、請求項１ないし請求項４のいずれかに記載の工業所有権に関わる文献情報の検索データ構造であって、前記検索データは、前記頒布される文献情報の出願人名情報に基づいて設定され法人格を特定する法人格特定コードに関する法人格特定コード情報と、前記頒布される文献情報の項目内容情報のうちの出願人の住所または居所に関する場所情報に基づいて設定され管轄地方自治を特定する地方自治特定コードに関する地方自治特定コード情報とを１つのレコードとして関連付けている構成とすることが好ましい。このことにより、出願人名情報に基づいて法人格を特定する法人格特定コードに関する法人格特定コード情報と、出願人の住所または居所に関する場所情報に基づいて管轄地方自治を特定する地方自治特定コードに関する地方自治特定コード情報とを、検索データに１つのレコードとして関連付けているので、簡単なデータ構造で出願人が確実に特定され、適切な出願人に関する文献情報の検索が得られる。
【００１３】
また、本発明の工業所有権に関わる文献情報の検索データ構造は、工業所有権に関わる項目の内容に関する項目内容情報を複数有し頒布される前記文献情報について検索するための工業所有権に関わる文献情報の検索データ構造であって、前記頒布される文献情報の項目内容情報のうちの出願番号に関する出願番号情報と、前記頒布される文献情報の項目内容情報のうちの出願人の氏名または名称に関する出願人名情報と、を１つのレコードとしてそれぞれ個別のコード情報が関連付けられた報知データを複数記録したテーブル構造であることを特徴とする。
【００１４】
この発明では、頒布される文献情報の項目内容情報のうち、出願番号に関する出願番号情報と、出願人の氏名または名称に関する出願人名情報とを、１つのレコードとしてそれぞれ個別のコード情報が関連付けられた報知データを複数記録するテーブル構造に構成している。このことにより、出願人が関連し合う文献情報の検索が簡単なデータ構造で可能となり、容易に検索できる構成が容易に得られる。
【００１５】
また、この発明では、請求項６に記載の工業所有権に関わる文献情報の検索データ構造であって、前記報知データのコード情報は、この報知データの出願人名情報と同一人格の出願人名情報を有した請求項１ないし請求項５のいずれかに記載の工業所有権に関わる文献情報の検索データ構造における前記検索データのコード情報と同一である構成とすることが好ましい。このことにより、報知データのコード番号と検索データのコード番号とが同一であることから、検索データに基づいて所定の出願人に関連する他の検索データから対応する報知データを検索して文献情報を検索することで、出願人が関連する文献情報が簡単なデータ構造で容易に得られる。
【００１６】
そして、この発明では、請求項６または請求項７に記載の工業所有権に関わる文献情報の検索データ構造であって、前記報知データは、前記頒布される文献情報の出願人名情報に基づいて設定され法人格を特定する法人格特定コードに関する法人格特定コード情報と、前記頒布される文献情報の項目内容情報のうちの出願人の住所または居所に関する場所情報に基づいて設定され管轄地方自治を特定する地方自治特定コードに関する地方自治特定コード情報とを１つのレコードとして関連付けている構成とすることが好ましい。このことにより、頒布される文献情報の出願人名情報に基づいて法人格を特定する法人格特定コードに関する法人格特定コード情報と、頒布される文献情報の出願人の住所または居所に関する場所情報に基づいて管轄地方自治を特定する地方自治特定コードに関する地方自治特定コード情報とを、報知データに１つのレコードとして関連付けているので、簡単なデータ構造で出願人が確実に特定され、適切な出願人に関する文献情報の検索が得られる。
【００１７】
また、本発明の工業所有権に関わる文献情報の検索データ構造を記録した記録媒体は、請求項１ないし請求項８のいずれかに記載の工業所有権に関わる文献情報の検索データ構造が演算手段にて読み取り可能に記録されたことを特徴とする。
【００１８】
この発明では、請求項１ないし請求項８のいずれかに記載の工業所有権に関わる文献情報の検索データ構造を演算手段にて読取可能に記録している。このことにより、工業所有権に関わる文献情報の最新の状態の簡単なデータ構造で容易に迅速な検索が容易に得られ、利用の拡大が容易に図れる。
【００１９】
また、本発明の工業所有権に関わる文献情報検索装置は、工業所有権に関わる項目の内容に関する項目内容情報を複数有し頒布される文献情報について検索するための工業所有権に関わる文献情報検索装置であって、前記頒布される文献情報における項目内容情報を読み取る読取手段と、前記請求項１ないし請求項５のいずれかに記載の工業所有権に関わる文献情報の検索データ構造を読取マスタデータとして用い、前記読取手段にて前記頒布される文献情報の項目内容情報を読み取らせ、前記読取マスタデータの出願人名情報と同一人格の出願人に関する出願人名情報を有した前記文献情報の出願番号に関する出願番号情報、および対応する前記読取マスタデータの出願人名情報に関連付けられたコード情報を、前記読み取った文献情報の出願人名情報に１つのレコードとして関連付けた報知データを報知可能に複数生成する検索データ生成手段と、を具備したことを特徴とする。
【００２０】
この発明では、読取手段にて頒布される文献情報における項目内容情報を読み取り、検索データ生成手段により、請求項１ないし請求項５のいずれかに記載の工業所有権に関わる文献情報の検索データ構造を読取マスタデータとして用い、読取マスタデータ出願人名情報と同一人格の出願人に関する出願人名情報を有した文献情報の出願番号に関する出願番号情報と、この出願人に対応する読取マスタデータの出願人名情報に関連付けられたコード情報と、読み取った文献情報の出願人名情報に１つのレコードとして関連付けた報知データを報知可能に複数生成する。このことにより、出願人が関連し合う文献情報の検索が簡単なデータ構造で可能となり、容易に検索できる構成が容易に得られる。
【００２１】
さらに、本発明の工業所有権に関わる文献情報検索装置は、工業所有権に関わる項目の内容に関する項目内容情報を複数有し頒布される文献情報について検索するための工業所有権に関わる文献情報検索装置であって、前記頒布される文献情報における項目内容情報を読み取る読取手段と、前記頒布される文献情報の項目内容情報のうちの出願人の氏名または名称に関する出願人名情報および前記出願人名情報に関連付けられ前記出願人が関連し合う集合を特定する集合特定情報を１つのレコードとしてそれぞれ個別のコード情報が関連付けられた検索データを複数記録した読取マスタデータを記憶する記憶手段と、前記読取手段にて前記頒布される文献情報の項目内容情報を読み取らせ、前記読取マスタデータの出願人名情報と同一人格の出願人に関する出願人名情報を有した前記文献情報の出願番号に関する出願番号情報、および対応する前記検索データの出願人名情報に関連付けられたコード情報を、前記読み取った文献情報の出願人名情報に１つのレコードとして関連付けた報知データを報知可能に複数生成する検索データ生成手段と、を具備したことを特徴とする。
【００２２】
この発明では、頒布される文献情報の項目内容情報のうちの出願人の氏名または名称に関する出願人名情報とこの出願人名情報に関連付けられ出願人が関連し合う集合を特定する集合特定情報と、それぞれ個別のコード情報とを１つのレコードとして関連付けられた検索データを複数記録した読取マスタデータを記憶手段に記憶し、読取手段にて頒布される文献情報における項目内容情報を読み取り、検索データ生成手段により、記憶手段の読取マスタデータの検索データにおける出願人名情報と同一人格の出願人に関する出願人名情報を有した文献情報の出願番号に関する出願番号情報と、この検索データの出願人名情報に関連付けられたコード情報とを、読み取った文献情報の出願人名情報に１つのレコードとして関連付けた報知データを報知可能に複数生成する。このことにより、出願人が関連し合う文献情報の検索が簡単なデータ構造で可能となり、容易に検索できる構成が容易に得られる。
【００２３】
そして、この発明では、請求項１０または請求項１１に記載の工業所有権に関わる文献情報検索装置であって、所定の出願人に関する文献情報の検索を要求する旨の要求情報を取得する要求情報取得手段と、この要求情報取得手段にて前記要求情報を取得すると、この要求情報に記載された所定の出願人と同一人格の出願人に関する出願人名情報を有した前記読取マスタデータの検索データを検出し、この検出した検索データのコード情報および集合特定情報を取得し、この取得した集合特定情報を有した他の検索データのコード情報を取得し、これら取得したコード情報および前記取得したコード情報を有した前記報知データを検出し、この検出した報知データの出願番号情報を取得して出願番号を報知する制御をする報知制御手段と、を具備した構成とすることが好ましい。このことにより、要求情報取得手段にて所定の出願人に関する文献情報の検索を要求する旨の要求情報を取得すると、報知制御手段により、要求情報に記載された所定の出願人と同一人格の出願に関する出願人名情報を有した読取マスタデータの検索データを検索してそのコード情報および集合特定情報を取得し、この取得した集合特定情報を有した他の検索データのコード情報を取得する。そして、これら取得したコード情報を有した報知データを検出して出願番号情報を取得し、出願番号を報知する制御をするため、簡単なデータ構造を利用して出願人が関連する文献情報の検索が容易に得られる。
【００２４】
また、本発明の工業所有権に関わる文献情報検索装置は、工業所有権に関わる項目の内容に関する項目内容情報を複数有し頒布される文献情報について検索するための工業所有権に関わる文献情報検索装置であって、請求項１ないし請求項５のいずれかに記載の工業所有権に関わる文献情報の検索データ構造を記憶する第１の記憶手段と、請求項６ないし請求項８のいずれかに記載の工業所有権に関わる文献情報の検索データ構造を記憶する第２の記憶手段と、所定の出願人に関する文献情報の検索を要求する旨の要求情報を取得する要求情報取得手段と、この要求情報取得手段にて前記要求情報を取得すると、この要求信号に記載の前記所定の出願人と同一人格の出願人に関する出願人名情報を有した前記第１の記憶手段に記憶された検索データ構造の検索データを検出し、この検出した検索データのコード情報および集合特定情報を取得し、この取得した集合特定情報を有した他の検索データのコード情報を取得し、これら取得したコード情報および前記取得したコード情報を有した前記第２の記憶手段に記憶された検索データ構造の報知データを検出し、この検出した報知データの出願番号情報を取得して出願番号を報知する制御をする報知制御手段と、を具備したことを特徴とする。
【００２５】
この発明では、要求情報取得手段にて所定の出願人に関する文献情報の検索を要求する旨の要求情報を取得すると、報知制御手段により、要求情報に記載の所為の出願人と同一人格の出願人に関する出願人名情報を有した第１の記憶手段の検索データ構造の検索データを検出してコード情報および集合特定情報を取得し、この取得した集合特定情報を有した他の検索データのコード情報を取得する。そして、これら取得したコード情報を有した第２の記憶手段に記憶された検索データ構造の報知データを検出して出願番号情報を取得し、出願番号を報知する制御をするため、簡単なデータ構造を利用して出願人が関連する文献情報の検索が容易に得られる。
【００２６】
そして、本発明の工業所有権に関わる文献情報検索システムは、工業所有権に関わる項目の内容に関する項目内容情報を複数有し頒布される前記文献情報について検索するための工業所有権に関わる文献情報検索システムであって、所定の出願人に関する文献情報の検索を要求する要求情報を生成する検索要求手段と、検索結果を出力する出力手段と、を備えた端末装置と、この端末装置がネットワークを介して送受信可能に接続され、前記要求情報を前記ネットワークを介して前記端末装置から取得する要求情報取得手段、および、この要求情報取得手段にて前記要求情報を取得すると、この要求情報に記載された所定の出願人と同一人格の出願人に関する出願人名情報を有した請求項１ないし請求項５のいずれかに記載の工業所有権に関わる文献情報の検索データ構造の検索データを検出し、この検出した検索データの前記コード情報および前記集合特定情報を取得し、この取得した集合特定情報を有した前記検索データ構造における他の検索データのコード情報を取得し、これら取得したコード情報および前記取得したコード情報を有した前記請求項６ないし請求項８に記載の工業所有権に関わる文献情報の検索データ構造における報知データを検出し、この検出した報知データの前記出願番号情報を取得して出願番号を前記端末装置の出力手段にて前記検索結果として出力可能に前記ネットワークを介して前記端末装置へ出力する報知制御手段を備えたサーバ装置と、を具備したことを特徴とする。
【００２７】
この発明では、端末装置の検索要求手段にて生成され所定の出願人に関する文献情報の検索を要求する要求情報をネットワークを介してサーバ装置の要求情報取得手段が取得すると、サーバ装置の報知制御手段は、要求情報に記載された所定の出願人と同一人格の出願人に関する出願人名情報を有した請求項１ないし請求項５のいずれかに記載の工業所有権に関わる文献情報の検索データ構造の検索データを検出してコード情報および集合特定情報を取得し、この取得した集合特定情報を有した検索データ構造における他の検索データのコード情報を取得する。そして、報知制御手段は、これら取得したコード情報を有した請求項６ないし請求項８のいずれかに記載の工業所有権に関わる文献情報の検索データ構造における報知データを検出して出願番号情報を取得し、この出願番号情報の出願番号を端末装置の出力手段にて検索結果として出力可能に、出願番号情報を端末装置へネットワークを介して出力させる。このことにより、簡単なデータ構造を利用して出願人が関連する文献情報の検索が容易に得られとともに、文献情報の検索データ構造を端末装置に設ける必要がなく、検索もサーバ装置にて実施するので、簡単な端末装置の構成でも、所定の出願人に関わる文献情報の検索が容易に得られ、利用の拡大が容易に図れる。
【００２８】
さらに、本発明の工業所有権に関わる文献情報検索システムは、工業所有権に関わる項目の内容に関する項目内容情報を複数有し頒布される前記文献情報について検索するための工業所有権に関わる文献情報検索システムであって、所定の出願人に関する文献情報の検索を要求する要求情報を生成する検索要求手段と、検索結果を出力する出力手段と、を備えた端末装置と、この端末装置がネットワークを介して送受信可能に接続され、前記頒布される文献情報における項目内容情報を読み取る読取手段、前記頒布される文献情報の項目内容情報のうちの出願人の氏名または名称に関する出願人名情報および前記出願人名情報に関連付けられ前記出願人が関連し合う集合を特定する集合特定情報を１つのレコードとしてそれぞれ個別のコード情報が関連付けられた検索データを複数記録した読取マスタデータを記憶する第１の記憶手段、前記読取手段にて前記頒布される文献情報の項目内容情報を読み取らせ、前記読取マスタデータの出願人名情報と同一人格の出願人に関する出願人名情報を有した前記文献情報の出願番号に関する出願番号情報、および対応する前記検索データの出願人名情報に関連付けられたコード情報を、前記読み取った文献情報の出願人名情報に１つのレコードとして関連付けた報知データを複数記録したテーブル構造の第２の記憶手段、前記要求情報を前記ネットワークを介して前記端末装置から取得する要求情報取得手段、および、この要求情報取得手段にて前記要求情報を取得すると、この要求情報に記載された所定の出願人と同一人格の出願人に関する出願人名情報を有した前記第１の記憶手段に記憶された読取マスタデータの検索データを検出し、この検出した検索データの前記コード情報および前記集合特定情報を取得し、この取得した集合特定情報を有した前記読取マスタデータにおける他の検索データのコード情報を取得し、これら取得したコード情報および前記取得したコード情報を有した前記第２の記憶手段に記憶された報知データを検出し、この検出した報知データの前記出願番号情報を取得して出願番号を前記端末装置の出力手段にて前記検索結果として出力可能に前記ネットワークを介して前記端末装置へ出力する報知制御手段を備えたサーバ装置と、を具備したことを特徴とする。
【００２９】
この発明では、頒布される文献情報の項目内容情報のうちの出願人の氏名または名称に関する出願人名情報、この出願人名情報に関連付けられ出願人が関連し合う集合を特定する集合特定情報と、それぞれ個別のコード情報とを１つのレコードとして関連付けた検索データを複数記録した読取マスタデータを第１の記憶手段に記憶する。また、読取手段にて頒布される文献情報の項目内容情報を読み取らせ、第１の記憶手段に記憶された読取マスタデータの検索データにおける出願人名情報と同一人格の出願人に関する出願人名情報を有した文献情報の出願番号に関する出願番号情報と、この出願人名情報に対応する検索データにおけるコード情報とを、読み取った文献情報の出願人名情報に１つのレコードとして関連付けた報知データを複数記録したテーブル構造に第２の記憶手段を構築する。そして、端末装置の検索要求手段にて生成され所定の出願人に関する文献情報の検索を要求する要求情報をサーバ装置の要求情報取得手段がネットワークを介して取得すると、サーバ装置の報知制御手段は、要求情報に記載された所定の出願人と同一人格の出願人に関する出願人名情報を有した第１の記憶手段に記憶された読取マスタデータの検索データを検出してコード情報および集合特定情報を取得し、この取得した集合特定情報を有した読取マスタデータにおける他の検索データのコード情報を取得する。そして、報知制御手段は、これら取得したコード情報を有した第２の記憶手段に記載された報知データを検出して出願番号情報を取得し、この出願番号情報の出願番号を端末装置の出力手段にて検索結果として出力可能に、出願番号情報を端末装置へネットワークを介して出力させる。このことにより、簡単なデータ構造を利用して出願人が関連する文献情報の検索が容易に得られるとともに、文献情報の検索データ構造を端末装置に設ける必要がなく、検索もサーバ装置にて実施するので、簡単な端末装置の構成でも、所定の出願人に関わる文献情報の検索が容易に得られ、利用の拡大が容易に図れる。
【００３０】
また、本発明の工業所有権に関わる文献情報検索方法は、工業所有権に関わる項目の内容に関する項目内容情報を複数有し頒布される前記文献情報について演算手段により検索するための工業所有権に関わる文献情報検索方法であって、前記演算手段は、前記頒布される文献情報における項目内容情報を読み取り、前記請求項１ないし請求項５のいずれかに記載の工業所有権に関わる文献情報の検索データ構造を読取マスタデータとして用い、この読取マスタデータの出願人名情報と同一人格の出願人に関する出願人名情報を有した前記頒布される文献情報の出願番号に関する出願番号情報と、対応する前記読取マスタデータの出願人名情報に関連付けられたコード情報とを、前記読み取った文献情報の出願人名情報に１つのレコードとして関連付けた報知データを報知可能に複数生成することを特徴とする。
【００３１】
この発明は、請求項１０に記載の工業所有権に関わる文献情報検索装置の動作を、演算手段により実施する方法に展開したもので、演算手段により、頒布される文献情報における項目内容情報を読み取り、請求項１ないし請求項５のいずれかに記載の工業所有権に関わる文献情報の検索データ構造を読取マスタデータの出願人名情報と同一人格の出願人に関する出願人名情報を有した文献情報の出願番号に関する出願番号情報と、この出願人名情報に対応する読取マスタデータの出願人名情報に関連付けられたコード情報とを、読み取った文献情報の出願人名情報に１つのレコードとして関連付けた報知データを報知可能に複数生成する。このことにより、請求項１０に記載の発明と同様の作用効果を奏する。
【００３２】
さらに、本発明の工業所有権に関わる文献情報検索方法は、工業所有権に関わる項目の内容に関する項目内容情報を複数有し頒布される文献情報について演算手段により検索するための工業所有権に関わる文献情報検索方法であって、所定の出願人に関する文献情報の検索を要求する旨の要求情報を認識すると、この要求情報に記載された所定の出願人と同一人格の出願人に関する出願人名情報を有した請求項１ないし請求項５のいずれかに記載の工業所有権に関わる文献情報の検索データ構造における検索データを検出し、この検出した検索データのコード情報および集合特定情報を取得し、この取得した集合特定情報を有した前記検索データ構造における他の検索データのコード情報を取得し、これら取得したコード情報および前記取得したコード情報を有した請求項６ないし請求項８のいずれかに記載の工業所有権に関わる文献情報の検索データ構造における報知データを検出し、この検出した報知データの出願番号情報を取得して出願番号を報知することを特徴とする。
【００３３】
この発明は、請求項１２に記載の工業所有権に関わる文献情報検索装置の動作を、演算手段により実施する方法に展開したもので、演算手段により、所定の出願人に関する文献情報の検索を要求する旨の要求情報を認識すると、この要求情報に記載された所定の出願人と同一人格の出願人に関する出願人名情報を有した請求項１ないし請求項５のいずれかに記載の工業所有権に関わる文献情報の検索データ構造における検索データを検出してコード情報および集合特定情報を取得し、この取得して集合特定情報を有した検索データ構造における他の検索データのコード情報を取得する。そして、演算手段により、これら取得したコード情報を有した請求項６ないし請求項８のいずれかに記載の工業所有権に関わる文献情報の検索データ構造における報知データを検出し、この検出した報知データの出願番号情報を取得して出願番号を報知する。このことにより、請求項１２に記載の発明と同様の作用効果を奏する。
【００３４】
また、本発明の工業所有権に関わる項目の内容に関する項目内容情報を複数有し頒布される文献情報について端末装置からのネットワークを介した検索要求に基づいてサーバ装置にて検索し前記ネットワークを介して前記端末装置に報知する工業所有権に関わる文献情報検索方法であって、前記サーバ装置は、前記頒布される文献情報における項目内容情報を読み取り、前記請求項１ないし請求項５のいずれかに記載の工業所有権に関わる文献情報の検索データ構造を読取マスタデータとして用い、この読取マスタデータの出願人と同一人格の出願人に関する出願人名情報を有した前記頒布される文献情報の出願番号に関する出願番号情報と、対応する前記読取マスタデータの出願人名情報に関連付けられたコード情報とを、前記読み取った文献情報の出願人名情報に１つのレコードとして関連付けた報知データを、前記ネットワークを介して前記端末装置で報知可能に複数生成することを特徴とする。
【００３５】
この発明は、請求項１０に記載の工業所有権に関わる文献情報検索装置をシステム構成とした動作を、演算手段により実施する方法に展開したもので、サーバ装置により、頒布される文献情報における項目内容情報を読み取り、請求項１ないし請求項５のいずれかに記載の工業所有権に関わる文献情報の検索データ構造を読取マスタデータの出願人と同一人格の出願人に関する出願人名情報を有した頒布される文献情報の出願番号に関する出願番号情報と、この出願人名情報に対応する読取マスタデータの出願人名情報に関連付けられたコード情報とを、読み取った文献情報の出願人名情報に１つのレコードとして関連付けた報知データを、ネットワークを介して端末装置で報知可能に複数生成する。このことにより、請求項１０に記載の発明と同様の作用効果を奏するとともに、文献情報の検索データ構造を端末装置に設ける必要がなく、検索もサーバ装置にて実施するので、簡単な端末装置の構成でも、所定の出願人に関わる文献情報の検索が容易に得られ、利用の拡大が容易に図れる。
【００３６】
さらに、本発明の工業所有権に関わる文献情報検索方法は、工業所有権に関わる項目の内容に関する項目内容情報を複数有し頒布される文献情報について端末装置からのネットワークを介した検索要求に基づいてサーバ装置にて検索し前記ネットワークを介して前記端末装置に報知する工業所有権に関わる文献情報検索方法であって、前記サーバ装置は、所定の出願人に関する文献情報の検索を要求する旨の要求情報を認識すると、この要求情報に記載された所定の出願人と同一人格の出願人に関する出願人名情報を有した請求項１ないし請求項５のいずれかに記載の工業所有権に関わる文献情報の検索データ構造における検索データを検出し、この検出した検索データのコード情報および集合特定情報を取得し、この取得した集合特定情報を有した前記検索データ構造における他の検索データのコード情報を取得し、これら取得したコード情報および前記取得したコード情報を有した請求項６ないし請求項８のいずれかに記載の工業所有権に関わる文献情報の検索データ構造における報知データを検出し、この検出した報知データの出願番号情報を取得し、この取得した出願番号情報を前記端末装置で出願番号を報知可能に前記ネットワークを介して前記端末装置へ出力することを特徴とする。
【００３７】
この発明は、請求項１４に記載の工業所有権に関わる文献情報検索システムの動作を、演算手段により実施する方法に展開したもので、サーバ装置により、端末装置から所定の出願人に関する文献情報の検索を要求する要求情報をネットワークを介して認識すると、要求情報に記載された所定の出願人と同一人格の出願人に関する出願人名情報を有した請求項１ないし請求項５のいずれかに記載の工業所有権に関わる文献情報の検索データ構造の検索データを検出してコード情報および集合特定情報を取得し、この取得した集合特定情報を有した検索データ構造における他の検索データのコード情報を取得する。そして、サーバ装置は、これら取得したコード情報を有した請求項６ないし請求項８のいずれかに記載の工業所有権に関わる文献情報の検索データ構造における報知データを検出して出願番号情報を取得し、この出願番号情報の出願番号を端末装置の出力手段にて検索結果として出力可能に、出願番号情報を端末装置へネットワークを介して出力させる。このことにより、簡単なデータ構造を利用して出願人が関連する文献情報の検索が容易に得られるとともに、文献情報の検索データ構造を端末装置に設ける必要がなく、検索もサーバ装置にて実施するので、簡単な端末装置の構成でも、所定の出願人に関わる文献情報の検索が容易に得られ、利用の拡大が容易に図れる。
【００３８】
そして、本発明の工業所有権に関わる文献情報検索プログラムは、請求項１６ないし請求項１９のいずれかに記載の工業所有権に関わる文献情報検索方法を演算手段に実行させることを特徴とする。
【００３９】
この発明では、例えば汎用のコンピュータなどを演算手段として利用しインストールすることにより請求項１６ないし請求項１９に記載のいずれかに記載の工業所有権に関わる文献情報検索方法が演算手段に実行されるので、本発明の利用促進が大幅に図れる。
【００４０】
また、本発明の工業所有権に関わる文献情報検索プログラムを記録した記録媒体は、請求項２０に記載の工業所有権に関わる文献情報検索プログラムが演算手段にて読み取り可能に記録されたことを特徴とする。
【００４１】
この発明では、請求項１６ないし請求項１９のいずれかに記載の工業所有権に関わる文献情報検索方法を実行させるための請求項２０に記載の工業所有権に関わる文献情報検索プログラムを記録媒体に記録するので、工業所有権に関わる文献情報検索プログラムの取扱が容易で、本発明の利用促進が大幅に図れる。
【００４２】
そして、本発明において、演算手段は、例えば１つのパーソナルコンピュータ、複数のコンピュータをネットワーク状に組み合わせた構成、マイクロコンピュータなどの素子、あるいは複数の電子部品が搭載された回路基板などをも含むものである。
【発明を実施するための最良の形態】
【００４３】
〔文献情報検索システムの構成〕
以下、本発明の一実施の形態に係る文献情報検索システムの構成について図面に基づいて説明する。本実施の形態では、工業所有権として特許、実用新案および意匠に関わる文献情報について検索するための構成について例示するが、その他、例えば商標など、工業所有権に関わる他のいずれの文献情報についても適用できる。図１は、本実施の形態における文献情報検索システムの概略構成を示す概念図である。図２は、文献情報検索システムを構成する端末装置の概略構成を示すブロック図である。図３は、文献情報検索システムを構成するサーバ装置の概略構成を示すブロック図である。図４は、読取マスタデータのテーブルデータであるデータ構造を示す模式図である。図５は、出願人の関連性を説明するための関連系統図を模式的に示す概念図である。図６は、検索蓄積データベースのテーブル構造を示す模式図である。
【００４４】
図１において、１００は文献情報検索システムで、この文献情報検索システム１００は、例えば特許、実用新案および意匠などの工業所有権に関わる文献に関する文献情報を検索するためのシステムである。この文献情報検索システム１００は、端末装置２００と、この端末装置２００にネットワーク１１０を介して各種情報を送受信可能に接続される文献情報検索装置としても機能するサーバ装置３００と、を備えている。
【００４５】
ここで、ネットワーク１１０としては、サーバ装置３００と端末装置２００との間を、各種データを送受信可能に接続する。このネットワーク１１０は、ＴＣＰ／ＩＰ（Transmission Control Protocol/Internet Protocol）などの汎用のプロトコルに基づくインターネット、ＬＡＮ（Local Area Network）などのイントラネット、無線媒体により情報が送受信可能な複数の基地局がネットワークを構成する通信回線網や放送網などのネットワーク、さらには、データを直接送受信するための媒体となる無線媒体自体など、データを送受信させるいずれの構成が利用できる。ここで、無線媒体としては、電波、光、音波、電磁波などのいずれの媒体をも適用できる。
【００４６】
端末装置２００は、例えばパーソナルコンピュータやオフィスコンピュータなどが例示できる。そして、端末装置２００は、例えば図２に示すように、端末通信手段２１０と、検索要求手段としての端末入力手段２２０と、出力手段としての端末表示手段２３０と、端末記憶手段２４０と、端末処理手段２５０と、を備えている。
【００４７】
端末通信手段２１０は、ネットワーク１１０を介してサーバ装置３００に接続される。この端末通信手段２１０は、ネットワーク１１０を介してサーバ装置３００から端末信号を受信可能で、この端末信号の取得によりあらかじめ設定されている入力インターフェース処理を実施し、処理端末信号として端末処理手段２５０に出力する。また、端末通信手段２１０は、端末処理手段２５０から処理端末信号が入力可能で、この入力される処理端末信号の取得によりあらかじめ設定されている出力インターフェース処理を実施し、端末信号としてネットワーク１１０を介してサーバ装置３００に送信する。
【００４８】
端末入力手段２２０は、例えばキーボードやマウスなどで、検索を実施する利用者により入力操作される図示しない各種操作ボタンや操作つまみなどを有している。これら操作ボタンや操作つまみなどの入力操作としては、端末装置２００の動作内容を設定する各種動作設定項目の入力操作の他、文献情報を検索するための条件項目の入力操作などである。そして、端末入力手段２２０は、入力操作に対応した所定の信号を端末処理手段２５０へ適宜出力して設定させる。なお、この端末入力手段２２０としては、操作ボタンや操作つまみなどの入力操作に限らず、例えば端末表示手段２３０に設けられたタッチパネルによる入力操作や、音声による入力操作など、各種入力事項を設定入力可能ないずれの構成が適用できる。
【００４９】
端末表示手段２３０は、端末処理手段２５０にて制御され端末処理手段２５０からの画像データを画面表示させる。画像データとしては、例えば文献情報に関する各種検索のための条件項目の入力を促す画面表示、検索した文献情報に関する情報を表示する画面表示などの他、端末装置２００の動作内容や他のアプリケーションソフトウェアに関する画像データなど、各種画像データが表示可能である。この端末表示手段２３０としては、種々のディスプレイが挙げられ、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００５０】
端末記憶手段２４０は、ネットワーク１１０を介してサーバ装置３００から取得した各種情報や、端末入力手段２２０で入力操作される入力事項の他、外部から取得した各種情報をも適宜記憶する。また、端末記憶手段２４０には、端末装置２００全体を動作制御するＯＳ（Operating System）上に展開される各種プログラムなどを記憶する。なお、端末記憶手段２４０としては、ＨＤ（Hard Disk）や光ディスク、メモリなどの記録媒体に読み出し可能に記憶するドライブやドライバなどを備えた構成などが例示できる。
【００５１】
端末処理手段２５０は、図示しない各種入出力ポート、例えば端末通信手段２１０が接続される通信制御ポート、端末入力手段２２０が接続されるキー入力ポート、端末表示手段２３０が接続される表示部制御ポート、印刷出力する図示しない出力手段としての印刷装置が接続可能な印刷制御ポート、端末記憶手段２４０が接続される記憶ポートなどを有する。そして、端末処理手段２５０は、各種プログラムとして、検索対象設定手段２５１と、検索要求手段２５２と、検索結果取得手段２５３と、出力制御手段２５４と、などを備えている。
【００５２】
検索対象設定手段２５１は、端末入力手段２２０による入力操作にて入力された情報に基づいて、所定の出願人に関連する文献情報を検索するための検索条件、すなわち出願人の氏名または名称に関する検索対象の出願人名情報を設定する。具体的には、出願人の氏名または名称を端末表示手段２３０に表示される所定のフォームに基づいて利用者が所定の入力操作により端末入力手段２２０から出力される入力操作に対応した信号に基づいて、出願人名情報を生成する。
【００５３】
検索要求手段２５２は、端末入力手段２２０による入力操作にて入力された情報に基づいて、検索対象設定手段２５１にて設定した出願人名情報に対応する所定の文献情報についての検索の実行をサーバ装置３００に要求する旨の検索要求情報を生成する。すなわち、検索要求情報には、検索対象の出願人情報と、この所定された出願人情報に記載された出願人による文献情報を検索する条件である検索条件情報と、検索を要求する利用者や端末装置２００を特定する顧客情報となどを有した情報として生成される。そして、検索要求手段２５２は、生成した検索要求情報を端末通信手段２１０によりネットワーク１１０を介してサーバ装置３００へ送信する。
【００５４】
検索結果取得手段２５３は、ネットワーク１１０を介して端末通信手段２１０によりサーバ装置３００から取得した検索結果情報を取得する。この取得した検索結果情報は、端末記憶手段２４０や図示しないメモリなどに適宜記憶される。
【００５５】
出力制御手段２５４は、端末入力手段２２０による入力操作にて設定された出力状況に基づいて、検索結果取得手段２５３にて取得した検索結果情報を適宜処理し、端末表示手段２３０で表示させたり、図示しない接続された印刷装置にて印刷出力させたりする検索結果情報の出力制御をする。
【００５６】
サーバ装置３００は、ネットワーク１１０を介して端末装置２００と各種情報の送受信が可能となっている。このサーバ装置３００は、例えば図３に示すように、サーバ通信手段３１０と、サーバ入力手段３２０と、サーバ表示手段３３０と、読取手段としてのサーバ読取手段３４０と、記憶手段として機能するサーバ記憶手段３５０と、サーバ処理手段３６０と、などを備えている。
【００５７】
サーバ通信手段３１０は、ネットワーク１１０を介して入力されるサーバ信号に対してあらかじめ設定されている入力インターフェース処理を実行し、処理サーバ信号としてサーバ処理手段３６０へ出力する。また、サーバ通信手段３１０は、サーバ処理手段３６０から端末装置２００に対して送信すべき処理サーバ信号が入力されると、入力された処理サーバ信号に対してあらかじめ設定されている出力インターフェース処理を実行し、サーバ信号としてネットワーク１１０を介して端末装置２００へ出力する。なお、サーバ信号は、処理サーバ信号に記載された情報に基づいて、所定の端末装置２００のみに適宜出力させたり、ネットワーク１１０を介して接続される全ての端末装置２００に出力させたりすることも可能である。
【００５８】
サーバ入力手段３２０は、例えば端末入力手段２２０と同様に、サーバ管理者などにて入力操作される図示しない各種操作ボタンや操作つまみなどを有している。これら操作ボタンや操作つまみなどの入力操作は、サーバ装置３００の動作内容の設定や、サーバ記憶手段３５０に記憶する情報の設定入力、サーバ記憶手段３５０に記憶された情報の更新など、各種の設定事項である。そして、サーバ入力手段３２０は、設定事項の入力操作により、設定事項に対応する信号をサーバ処理手段３６０へ適宜出力して設定入力させる。なお、入力操作としては、端末入力手段２２０と同様に、操作ボタンや操作つまみなどの操作に限られない。
【００５９】
サーバ表示手段３３０は、例えば端末表示手段２３０と同様に、各種表示装置が用いられる。このサーバ表示手段３３０は、サーバ処理手段３６０に接続され、サーバ処理手段３６０の制御によりこのサーバ処理手段３６０から出力される画像データを適宜表示する。
【００６０】
サーバ読取手段３４０は、例えば頒布される整理標準化データや公報類などの各種文献情報の各項目の内容である項目内容情報が記録されたＣＤ−ＲＯＭ（Compact Disc-Read Only Memory）など記録媒体から各種情報、すなわち記録媒体に記録された文献情報の工業所有権に関する各種項目である出願人の氏名または名称、出願人の住所または居所、出願番号、公開や公表、公告あるいは登録などの公報番号などの項目内容情報などを読み取る。具体的には、サーバ読取手段３４０は、工業所有権に関する文献情報が複数記録されたＨＤ（Hard Disk）や光ディスク、メモリなどの記録媒体から文献情報を適宜読み取るドライブやドライバなどを備えた構成などである。なお、サーバ読取手段３４０としては、ドライブやドライバに限らず、例えばネットワーク１１０を介して頒布される文献情報をサーバ通信手段３１０を介して取得する読み取り処理を実施する構成としてもよい。
【００６１】
サーバ記憶手段３５０は、文献情報を記憶するとともに、文献情報の関連性に関する関連情報を記憶する。また、サーバ記憶手段３５０は、サーバ装置３００全体および文献情報検索システム１００全体を動作制御するＯＳ上に展開される各種プログラムなどを記憶している。さらに、サーバ記憶手段３５０は、端末装置２００などから受信した各種情報を適宜記憶するとともに、サーバ入力手段３２０にて入力された各種情報を適宜記憶する。具体的には、サーバ記憶手段３５０は、複数の記憶領域、例えば、第１の記憶手段としての読取マスタデータベース３５１と、第２の記憶手段としての検索蓄積データベース３５２と、などを備えている。また、各種情報をも記憶可能である。
【００６２】
そして、読取マスタデータベース３５１は、例えば図４に示すような出願人の関連性に関し出願人の関連を検索するための読取マスタデータを記憶するテーブル構造である。具体的には、例えば図４に示すように、工業所有権に関わる文献情報の出願人に関するレコードである検索データ３５１Ａを複数記録したテーブルデータのデータ構造に構成されている。この各検索データ３５１Ａは、例えばコード情報３５１Ａ１、地方自治特定コード情報である国県コード情報３５１Ａ２、出願人名情報３５１Ａ３、かな名情報３５１Ａ４、英字名情報３５１Ａ５、法人格特定コード情報である日本語法人格情報３５１Ａ６、英字法人格情報３５１Ａ７、集合特定情報としてのグループコード情報３５１Ａ８、親コード情報３５１Ａ９、変更内容情報である名称変更フラグ情報３５１Ａ１０、更新フラグ情報３５１Ａ１１、入力日情報３５１Ａ１２などを１つのレコードとして関連付けたデータ構造に構成されている。
【００６３】
また、コード情報３５１Ａ１は、検索データ３５１Ａ毎にそれぞれ個別に設定される例えば数値や英字などにて表記された文字データで、設定入力により自動的に設定される。国県コード情報３５１Ａ２は、出願人の住所の拠点となる国や都道府県または名称が登記された国や都道府県、市町村などの管轄地方自治を特定する地方自治特定コードに関する地方自治特定コード情報である例えばあらかじめ設定されたコード番号である数値表記された文字データである。出願人名情報３５１Ａ３は、工業所有権に関わる文献情報の出願人の氏名または名称に関し法人格を示す例えば株式会社などが除かれた文字データである。かな名情報３５１Ａ４は、出願人の氏名または名称のふりがなに相当するひらがら表記される文字データである。英字名情報３５１Ａ５は、出願人の氏名または名称の英語読みに対応するアルファベット表記される文字データである。日本語法人格情報３５１Ａ６は、法人格を特定する法人格特定コードに関する法人格特定コード情報である日本語法人格を示す例えばコード数値表記された文字データで、学校法人、財団法人、株式会社、合資会社、社団法人、宗教法人、特殊法人、社会福祉法人、有限会社、などの種別や、その種別が出願人の氏名や名称に付された位置関係、いわゆる前株か後株かなどによりあらかじめ設定されたコード番号である。英字法人格情報３５１Ａ７は、英語法人格を示す例えばコード数値表記された文字データで、「ＬＴＤ」か、「ＩＮＣ」か、などの種別や位置関係などによりあらかじめ設定されたコード番号である。グループコード情報３５１Ａ８は、関連性のある出願人の集合を特定する例えばサーバ入力手段３２０によりテキスト入力にて設定された数値表記される文字データである。親コード情報３５１Ａ９は、この検索データ３５１の出願人の氏名または名称が、例えば図５に示す例示などのように変更されて他の氏名や名称で別途検索データ３５１Ａが設定されたそのコード情報３５１Ａが設定される文字データである。名称変更フラグ情報３５１Ａ１０は、出願人の氏名または名称が親コード情報３５１Ａ９の検索データ３５１Ａの氏名または名称に変更された内容、例えば図５に示す例示などのように、合併、社名変更、吸収合併などの理由についてあらかじめ設定されたコード番号で表される文字データである。更新フラグ情報３５１Ａ１１は、検索データとして設定された際にテキスト入力などの適切な情報処理の有無をあらかじめ設定されたコード番号で表される文字データである。入力日情報３５１Ａ１１は、検索データ３５１Ａとして設定された入力日に関して例えばテキスト入力された数値表記される文字データである。
【００６４】
なお、国県コード情報３５１Ａ２、日本語法人格情報３５１Ａ６および英語法人格情報３５１Ａ７におけるコード番号は、場所情報や法人格に関する情報と関連連れてサーバ記憶手段３５０にあらかじめ記憶されたテーブルデータを用いて設定される構成とすることもできる。
【００６５】
検索蓄積データベース３５２は、例えば図５に示すような出願人と文献情報とを関連付けて１つのレコードとして出願人に関する情報から文献情報を検索可能な報知データ３５２Ａを複数蓄積すなわち記憶するテーブル構造である。具体的には、報知データ３５２Ａは、例えば図５に示すように、出願番号情報３５２Ａ１と、コード番号３５２Ａ２と、出願人名情報３５２Ａ３と、かな名情報３５２Ａ４と、英字名情報３５２Ａ５と、日本語法人格情報３５２Ａ６と、国県コード情報３５２Ａ７と、１つのレコードとして関連付けたデータ構造に構成されている。
【００６６】
また、出願番号情報３５２Ａ１は、頒布される文献情報における項目内容情報のうちの出願番号に基づいて設定される例えば英数値表記される文字データである。コード番号３５２Ａ２は、出願人名情報３５２Ａ２に記載された出願人について読取マスタデータ３５１で関連付けられた対応するコード番号３５１Ａ３が設定されるコード番号の文字データである。出願人名情報３５２Ａ３は、頒布される文献情報における項目内容情報のうちの出願人の氏名または名称に関し読取マスタデータ３５１の検索データ３５１Ａに対応した日本語テキストデータの文字データである。かな名情報３５２Ａ４は、読取マスタデータ３５１の検索データ３５１Ａに対応し出願人の氏名または名称のふりがなに相当するひらがら表記される文字データである。英字名情報３５２Ａ５は、読取マスタデータ３５１の検索データ３５１Ａに対応し出願人の氏名または名称の英語読みに対応するアルファベット表記される文字データである。日本語法人格情報３５２Ａ６は、読取マスタデータ３５１の検索データ３５１Ａに対応し日本語法人格を示す例えばあらかじめ設定されたコード番号であるコード数値表記された文字データである。国県コード情報３５２Ａ７は、読取マスタデータ３５１の検索データ３５１Ａに対応し地方自治特定コード情報である例えばあらかじめ設定されたコード番号である数値表記された文字データである。
【００６７】
サーバ処理手段３６０は、図示しない各種入出力ポート、例えばサーバ通信手段３１０が接続される通信制御ポート、サーバ入力手段３２０が接続される入力ポート、サーバ表示手段３３０が接続される表示制御ポート、サーバ記憶手段３５０が接続される記憶ポートなどを有している。そして、サーバ処理手段３６０は、図３に示すように、サーバ記憶手段３５０に記憶された各種プログラムとして、読取マスタデータ作成手段３６１と、検索データ生成手段としての検索蓄積データベース構築手段３６２と、要求情報取得手段としての検索要求情報取得手段３６３と、報知制御手段３６４と、課金演算手段３６７と、決済手段３６８と、などを備えている。
【００６８】
読取マスタデータ作成手段３６１は、例えばサーバ入力手段３２０による検索データ３５１Ａを作成する旨の入力操作により、サーバ読取手段３４０を適宜動作させ、頒布される記録媒体などに記録された文献情報の項目内容情報を適宜読み取らせ、検索データ３５１Ａを作成する。具体的には、文献情報の項目内容情報のうちの出願人の氏名または名称に基づいて、出願人名情報３５１Ａ３を取得するとともに出願人の法人格を特定する法人格特定コードに関する法人格特定コード情報である日本語法人格情報３５１Ａ６を例えばサーバ記憶手段３５０にあらかじめ記憶された日本語法人格対照テーブルデータを利用して設定する。また、読取マスタデータ作成手段３６１は、文献情報の項目内容情報のうちの出願人の住所または居所に関する場所情報に基づいて、管轄地方自治を特定するコード番号である地方自治特定コードに関する国県コード情報３６１Ａ２を設定する。そして、かな名情報３５１Ａ４、英字名情報３５６１Ａ５、英字法人格情報３５１Ａ７、グループコード情報３５１Ａ８、親コード情報３５１Ａ９、変更内容情報である名称変更フラグ情報３５１Ａ１０、入力日情報３５１Ａ１２などをサーバ入力手段３２０の入力操作などにて設定して検索データ３５１Ａを設定する。この設定の際、読取マスタデータ作成手段３６１は、個別のコード番号を設定して生成したコード情報３５１Ａ１を関連付け、１つのレコードとしての検索データ３５１を生成する。この生成した検索データ３５１Ａは、サーバ記憶手段３５０の読取マスタデータベース３５１に順次蓄積すなわち記憶される。
【００６９】
検索蓄積データベース構築手段３６２は、例えばサーバ入力手段３２０による報知データ３５２Ａを作成する旨の入力操作により、サーバ読取手段３４０を適宜動作させ、頒布される記録媒体などに記録された文献情報の項目内容情報を適宜読み取らせ、報知データ３５２Ａを作成する。具体的には、頒布される文献情報における項目内容情報のうちの出願番号に基づいて出願番号情報を生成する。さらに、検索蓄積データベース構築手段３６２は、文献情報における項目内容情報のうちの出願人の氏名または名称に基づいて出願人名情報３５２Ａ３を生成するとともに、例えばサーバ記憶手段３５０にあらかじめ記憶された日本語法人格対照テーブルデータに基づいて日本語法人格情報３５２Ａ６を設定する。そしてさらに、検索蓄積データベース構築手段３６２は、文献情報における項目内容情報のうちの出願人の住所または居所に基づいて、例えばサーバ記憶手段３５０にあらかじめ記憶された管轄地方自治対照テーブルデータにより国県コード情報３５２Ａ７を設定する。そして、検索蓄積データベース構築手段３６２は、これら出願人名情報３５２Ａ２、日本語法人格情報３５２Ａ６および国県コード情報３５２Ａ７に基づいて、読取マスタデータ３５１における同一人格の出願人となる検索データ３５１Ａを検出し、その検索データ３５１Ａのかな名情報３５２Ａ４、英字名情報３５２Ａ５およびコード情報３５２Ａ２を取得し、先に取得した出願人名情報３５２Ａ２、日本語法人格情報３５２Ａ６および国県コード情報３５２Ａ７とともに、１つのレコードとして関連付けた報知データ３５２Ａを生成する。そして、この生成した報知データ３５２Ａは、サーバ記憶手段３５０の検索蓄積データベース３５２に順次蓄積すなわち記憶される。
【００７０】
検索要求情報取得手段３６３は、サーバ通信手段３１０にてネットワーク１１０を介して端末装置２００から送信される所定の出願人に関する文献情報の検索を要求する旨の要求情報である検索要求情報を取得する。この検索要求情報は、検索を要求する旨の信号とともに、検索対象の出願人に関する信号を有している。そして、取得した検索要求情報は、サーバ記憶手段３５０や図示しないメモリなどに適宜記憶されるとともに、検索手段３６４へ適宜出力される。
【００７１】
報知制御手段３６４は、検索要求情報取得手段３６３が検索要求情報を取得したことを認識すると、この検索要求情報に基づいて読取マスタデータの検索データを用いて検索蓄積データベースから対応する報知データを取得し、端末装置に送信して報知させる制御をする。そして、この報知制御手段３６４は、検索手段３６４Ａと、検索結果生成手段３６４Ｂと、報知手段３６４Ｃと、を備えている。
【００７２】
検索手段３６４Ａは、検索要求情報取得手段３６３にて取得した検索要求情報に基づいて、サーバ記憶手段３５０に記憶された読取マスタデータ３５１から検索要求情報に記載された検索対象の出願人と同一人格の出願人についての所定の検索データを検出する。すなわち、検索要求情報に記載された検索対象の出願人についての信号、その日本語法人格についての信号、出願人の住所または居所に基づく管轄地方自治についての信号など出願人を特定する情報に基づいて、その出願人と同一人格の出願人に関する検索データ３５１Ａを、読取マスタデータ３５１の国県コード情報３５１Ａ２、出願人名情報３５１Ａ３、および日本語法人格情報３５１Ａ６で比較して一致する検索データ３５１Ａを検出し、この検索データ３５１Ａのコード情報３５１Ａと、グループコード情報３５１Ａ８とを取得する。さらに、検索手段３６４Ａは、グループコード情報３５１Ａ８に基づいて、読取マスタデータ３５１における同一グループコード情報３５１Ａ８を有した他の検索データ３５１Ａを検出し、この検出した検索データ３５１Ａのコード情報３５１Ａを取得する。そして、検索手段３６４Ａは、先に取得したコード情報３５１Ａ１およびグループコード情報３５１Ａ８に基づいて取得したコード情報３５１Ａ１とに基づいて、検索蓄積データベース３５２における同一のコード情報３５２Ａ１を有した報知データ３５２Ａを検出し、この検出した報知データ３５２Ａの出願番号情報３５２Ａ１を取得する。この取得した出願番号情報３５２Ａ１は、サーバ記憶手段３５０や図示しないメモリなどに適宜記憶するとともに、検索結果生成手段３６４Ｂへ出力する。なお、検出できなかった場合には、検出できなかった旨の信号を検索結果生成手段３６４Ｂへ出力する。なお、出願番号情報３５２Ａ１の他、検出した報知データ３５２Ａを出力してもよい。
【００７３】
検索結果生成手段３６４Ｂは、検索手段３６４Ａで検索して取得した文献情報に関する情報である検索対象の出願人に関連する文献情報を特定するための出願番号情報３５２Ａ１に基づいて、端末装置２００へ報知するために適宜処理して検索結果情報を生成する。なお、検索手段３６４Ａにて出願番号情報３５２Ａ１を取得できなかった場合には、その旨を端末装置２００で出力可能な所定のフォームの検索結果情報を生成、例えばサーバ記憶手段３５０にあらかじめ記憶された所定のフォームを読み出す。そして、生成した検索結果情報は、サーバ記憶手段３５０や図示しないメモリなどに適宜記憶されるとともに、報知手段３６４Ｃへ適宜出力させる。
【００７４】
報知手段３６４Ｃは、検索結果生成手段３６４Ｂにより生成した検索結果情報を取得して適宜処理し、サーバ通信手段３１０によりネットワーク１１０を介して端末装置２００へ送信する。このことにより、端末装置２００は、検索結果取得手段２５３にて取得した検索結果情報を適宜処理し、端末表示手段２３０で表示させたり、図示しない接続された印刷装置にて印刷出力させたりし、検索対象の出願人に関連する出願番号が検索結果として端末装置２００で報知される。なお、検索結果として、出願番号に限らず、検索手段３６４Ａから報知データ３５２Ａが出力されて報知結果情報が生成された場合には、この報知結果情報に基づいて例えば図５に示す出願人の関連系統図などを端末表示手段２３０で画面表示、あるいは図示しない接続された印刷装置にて印刷出力可能に処理して報知させてもよい。
【００７５】
課金演算手段３６８は、検索要求情報や検索手段３６４Ａにて検索し報知手段３６４Ｃにて送信する検索結果情報などに基づいて、検索要求をした利用者に対して対価を演算する。この対価の演算としては、例えば端末装置２００がネットワーク１１０を介してサーバ装置３００に接続した時間、検索を実行するための検索料金、検索結果の情報量に対応する回答出力料金などに基づいて対価を演算する。なお、この対価の額は、検索結果情報とともに報知手段３６４Ｃにより端末装置２００へ送信される。
【００７６】
決済手段３６９は、課金演算手段３６８にて演算した対価を回収するための処理をする。例えば、サーバ記憶手段３５０にあらかじめ記憶されている端末装置２００を用いて利用する利用者を特定する顧客情報などに基づいて、請求書を発行したり、例えばネットワーク１１０を介して各金融機関が管理する付加価値通信網(Value-Added Network:ＶＡＮ)であるいわゆる金融ＶＡＮに構築されたファームバンキング（Firm Banking:ＦＢ）を利用して決済処理したり、決済処理する旨をサーバ表示手段３３０に表示させて管理者に決済処理を促す案内を報知するなどの処理をする。
【００７７】
〔文献情報検索システムの動作〕
次に、上述した文献情報検索システムにおける所定の文献情報を検索するための動作について図面を参照して説明する。
【００７８】
（マスタの生成処理）
まず、サーバ装置３００に読取マスタデータ３５１を生成して読取マスタデータベース３５１を構築するマスタの生成処理、および、検索蓄積データベース３５２を構築するマスタの生成処理について説明する。
【００７９】
あらかじめ、サーバ装置３００にサーバ装置用のアプリケーションソフトウェアをインストールしておく。そして、アプリケーションソフトウェアを起動させる。そして、サーバ入力手段３２０によるデータベースの構築を実施する旨の入力操作により、サーバ処理手段３６０の読取マスタデータ作成手段３６１はサーバ読取手段３４０を動作制御し、頒布された文献情報の項目内容情報を読み取る。そして、項目内容情報に基づいて検索データ３５１Ａを適宜生成してサーバ記憶手段３５０の読取マスタデータベース３５１へ順次記憶させる。
【００８０】
具体的には、読取マスタデータ作成手段３６１は、サーバ読取手段３４０により読み取った例えば頒布される文献情報の公開公報に関する項目内容情報の出願人の氏名または名称に基づいて、出願人名情報３５１Ａを取得するとともに、例えばサーバ記憶手段３５０にあらかじめ記憶された日本語法人格対照テーブルデータを用いて出願人の法人格を特定する法人格特定コードに関する日本語法人格情報３５１Ａ６を設定する。また、読取マスタデータ作成手段３６１は、頒布される文献情報における項目内容情報の出願人の住所または居所に関する場所情報に基づいて、管轄地方自治を特定する国県コード情報３６１Ａ２を設定する。そして、読取マスタデータ作成手段３６１は、出願人名情報３５１Ａ、日本語法人格情報３５１Ａ６および国県コード情報３６１Ａ２をそれぞれ１つのレコードとして関連付け、コード情報３５１Ａ１を例えば連番として自動的に設定して関連付ける。なお、この状態では、更新フラグ情報３５１Ａ１１は、処理していない旨の「０」が更新フラグ情報として設定されて関連付けられる。
【００８１】
そして、読取マスタデータ作成手段３６１は、更新フラグ情報が「０」のレコードと同一の検索データ３５１Ａが既に生成されて記録されているか否かを判断する。そして、記録されていないと判断すると、仮の検索データ３５１Ａとして読取マスタデータベース３５１に記録する。なお、既に検索データ３５１Ａが記録されていると判断した場合、この頒布された文献情報から作成したレコードを廃棄する。この後、読取マスタデータ作成手段３６１は、更新フラグ情報が「０」のレコードに対してサーバ入力手段３２０による入力操作にて入力された信号に基づいて、かな名情報３５１Ａ４、英字名情報３５６１Ａ５、英字法人格情報３５１Ａ７、グループコード情報３５１Ａ８、親コード情報３５１Ａ９、名称変更フラグ情報３５１Ａ１０、入力日情報３５１Ａ１２などを取得し、レコードに関連付けて検索データ３５１Ａを生成する。この生成された検索データ３５１Ａを読取マスタデータベース３５１に記録、すなわち更新する。この更新により、更新フラグ情報が「１」に設定されて記録される。このようにして、順次生成した検索データ３５１Ａをサーバ記憶手段３５０の読取マスタデータベース３５１へ順次記憶させ、読取マスタデータベース３５１を構築していく。
【００８２】
一方、サーバ入力手段３２０によるデータベースを構築する旨の入力操作により、サーバ処理手段３６０の検索蓄積データベース構築手段３６２は、読取マスタデータ作成手段３６１にて読取マスタデータベース３５１を構築する処理の際にサーバ読取手段３４０にて読み取った項目内容情報に基づいて、報知データ３５２Ａを適宜生成してサーバ記憶手段３５０の検索蓄積データベース３５２へ順次記憶させる。
【００８３】
具体的には、検索蓄積データベース構築手段３６２は、サーバ読取手段３４０により読み取った例えば頒布される文献情報の公開公報に関する項目内容情報の出願番号に基づいて出願番号情報を生成する。さらに、検索蓄積データベース構築手段３６２は、頒布された文献情報の項目内容情報における出願人の氏名または名称に基づいて出願人名情報３５２Ａ３を生成するとともに、例えばサーバ記憶手段３５０にあらかじめ記憶された日本語法人格対照テーブルデータに基づいて日本語法人格情報３５２Ａ６を設定する。そしてさらに、検索蓄積データベース構築手段３６２は、文献情報における項目内容情報のうちの出願人の住所または居所に基づいて、例えばサーバ記憶手段３５０にあらかじめ記憶された管轄地方自治対照テーブルデータにより国県コード情報３５２Ａ７を設定する。
【００８４】
この後、検索蓄積データベース構築主担３６２は、これら出願人名情報３５２Ａ２、日本語法人格情報３５２Ａ６および国県コード情報３５２Ａ７に基づいて、読取マスタデータ３５１における同一人格の出願人となる検索データ３５１Ａを検出する。そして、検索蓄積データベース構築手段３６２は、検出した検索データ３５１Ａのかな名情報３５２Ａ４、英字名情報３５２Ａ５およびコード情報３５２Ａ２を取得し、先に取得した出願人名情報３５２Ａ２、日本語法人格情報３５２Ａ６および国県コード情報３５２Ａ７とともに、１つのレコードとして関連付けた報知データ３５２Ａを生成する。そして、この生成した報知データ３５２Ａは、サーバ記憶手段３５０の検索蓄積データベース３５２に順次記憶させ、検索蓄積データベース３５２を構築していく。
【００８５】
（検索処理）
次に、上記文献情報検索システム１００による所定の出願人に関連する文献情報を検索する検索処理について説明する。
【００８６】
あらかじめ、文献情報検索システム１００を利用するための端末装置用のアプリケーションソフトウェアを端末装置２００にインストールしておく。そして、端末装置２００でアプリケーションソフトウェアを起動させ、このアプリケーションソフトウェアに基づいてネットワーク１１０を介してサーバ装置３００に接続する。
【００８７】
この後、利用者がアプリケーションソフトウェアに基づいて端末表示手段２３０に表示される画面表示にしたがって、端末入力手段２２０にて検索対象の出願人の氏名または名称と、国県コード番号と、日本語法人格コード番号とを適宜入力操作することにより、検索対象設定手段２５１が要求出願人名情報、要求国県コード情報、および要求日本語法人格情報を設定する。なお、検索対象設定手段２５１は、出願人の氏名または名称の入力により、自動的に要求日本語法人格情報を設定したり、出願人の住所または居所の入力により、自動的に要求国県コード情報を設定したりしてもよい。この構成によれば、検索のための入力操作が容易で使い勝手が向上し、利用の拡大が容易に図れる。
【００８８】
さらに、利用者が画面表示にしたがって端末入力手段２２０を適宜入力操作することにより、端末処理手段２５０の検索要求手段２５２は、検索対象設定手段２５１にて設定した要求出願人情報、要求国県コード情報、および要求日本語法人格情報を有し、検索対象の出願人に関連する文献情報について検索の実行をサーバ装置３００に要求する旨の検索要求情報を生成する。そして、検索要求手段２５２は、端末通信手段２１０を制御し、ネットワーク１１０を介して検索要求情報をサーバ装置３００へ送信する。
【００８９】
この端末装置２００から送信される検索要求情報は、サーバ通信手段３１０にて取得されて適宜処理され、サーバ処理手段３６０の検索要求情報取得手段３６３にて取得して認識する。そして、サーバ装置３００は、サーバ処理手段３６０の検索手段３６４Ａにより、検索要求情報の要求出願人名情報、要求国県コード情報、および要求日本語法人格情報や各種検索条件情報などに基づいて、サーバ記憶手段３５０の読取マスタデータベース３５１から要求出願人名情報、要求国県コード情報、および要求日本語法人格情報に一致する出願人名情報、国県コード情報、および日本語法人格情報を有した検索データ３５１Ａを検出し、この検索データ３５１Ａのコード情報３５１Ａおよびグループコード情報３５１Ａ８を取得する。なお、検索データ３５１Ａを検出できなかった場合、検出できなかった旨の信号を検索結果生成手段３６４Ｂへ出力する。
【００９０】
そして、検索手段３６４Ａは、検出した検索データ３５１Ａから取得したグループコード情報３５１Ａ８に基づいて、このグループコード情報３５１Ａ８と同一のグループコード情報３５１Ａ８を有した読取マスタデータ３５１の他の検索データ３５１Ａを検出し、この検出した検索データ３５１Ａのコード情報３５１Ａ１を取得する。なお、他の検索データ３５１Ａを検出できなかった場合には、以降の処理に移行する。
【００９１】
この後、検索手段３６４Ａは、検索要求情報に基づく検索により取得したコード情報３５１Ａ１と、グループコード情報３５１Ａ８に基づく検索により取得したコード情報３５１Ａ１とに基づいて、これらコード情報３５１Ａ１と同一のコード情報３５２Ａ１を有した検索蓄積データベース３５２の報知データ３５２Ａを検出し、この検出した報知データ３５２Ａの出願番号情報３５２Ａ１を取得する。そして、検索手段３６４Ａは、取得した出願番号情報３５２Ａ１をサーバ記憶手段３５０や図示しないメモリなどに適宜記憶するとともに、検索結果生成手段３６４Ｂへ出力する。なお、検索要求情報に、出願人の関連を示す関連系統図を要求する旨の情報が含まれている場合、検索手段３６４Ａは検出した検索データ３５１Ａをも検索結果生成手段３６４Ｂへ出力する。
【００９２】
この検索手段３６４Ａから出力された出願番号情報３５２Ａ１などを取得した検索結果生成手段３６４Ｂは、端末装置２００へ報知するために適宜処理し、検索結果情報を生成する。なお、検索手段３６４Ａから検出できなかった旨の信号を取得した場合には、その旨を端末装置２００で出力可能な例えばサーバ記憶手段３５０にあらかじめ記憶された所定のフォームを読み出して検索結果情報とする。そして、検索結果生成手段３６４Ｂは、生成した検索結果情報をサーバ記憶手段３５０や図示しないメモリなどに適宜記憶させるとともに、報知手段３６４Ｃへ出力させる。
【００９３】
また、サーバ処理手段３６０の課金演算手段３６８により、例えば端末装置２００がネットワーク１１０を介してサーバ装置３００に接続した時間、検索を実行するための検索料金、検索結果の情報量に対応する回答出力料金など、検索要求情報取得手段３６３にて取得した検索要求情報や検索手段３６４Ａにて検索し報知手段３６４Ｃにて送信する検索結果情報などに基づいて、検索要求をした利用者に対して対価を演算し、課金情報を生成する。そして、この生成した課金情報をサーバ記憶手段３５０や図示しないメモリなどに適宜記憶するとともに、報知手段３６４Ｃへ適宜出力する。
【００９４】
この後、検索結果生成手段３６４Ｂから出力された検索結果情報、および、課金演算手段３６８から出力された課金情報を取得した報知手段３６４Ｃは、検索結果情報および課金情報を適宜処理する。さらに、報知手段３６４Ｃは、検索要求情報に含まれる要求をする利用者や端末装置２００を特定する情報などにより、送信先を特定する。そして、報知手段３６４Ｃは、サーバ通信手段３１０を制御し、ネットワーク１１０を介して特定した端末装置２００へ検索結果情報および課金情報を送信する。
【００９５】
そして、サーバ装置３００から送信された検索結果情報および課金情報などを端末装置２００の端末通信手段２１０にて取得して適宜処理し、端末処理手段２５０の検索結果取得手段２５３にて取得して認識する。そして、端末装置２００は、出力制御手段２５４により、取得した各種情報を端末表示手段２３０で表示させたり、図示しない接続された印刷装置にて印刷出力させたりする出力処理をし、検索結果が利用者に対して報知される。なお、表示形態としては、コマンドモードによる表示形態やウエッブブラウザによる画面表示で表示される所定の表示画面など、いずれの形態が適用できる。
【００９６】
なお、検索要求情報に出願人の関連を示す関連系統図を要求する旨の情報が含まれている場合、検索データ３５１Ａの出願人名情報３５１Ａ３、親コード情報３５１Ａ９、および名称変更フラグ情報３５１Ａ１０に基づいて、例えばあらかじめサーバ記憶手段３５０に記憶された所定のフォームに基づいて図５に示すように画面表示あるいは印刷出力されるように、検索結果生成手段３６４Ｂにて検索結果情報が生成される。そして、この検索結果情報を取得した端末装置２００は、適宜端末入力手段２２０による所定の入力操作により、関連統計図を画面表示あるいは印刷出力して利用者に出願人の関連について報知する。
【００９７】
〔実施の形態の作用効果〕
上述したように、上記実施の形態では、工業所有権に関わる項目の内容に関する項目内容情報を複数有し頒布される文献情報について検索するために、文献情報の出願人の氏名または名称に関する出願人名情報と、出願人が関連し合う集合を特定する集合特定情報とを１つのレコードとして関連付けるとともに、それぞれ個別のコード情報を関連付けて１つのレコードとしての検索データ３５１Ａを複数記録したテーブル構造の読取マスタデータ３５１を構築する。このため、出願人が関連し合う文献情報の検索が簡単なデータ構造で可能となり、容易な検索が得られる構成を容易に得ることができる。したがって、工業所有権に関わる文献情報の運用が容易にできるとともに、良好な検索結果を得るためのデータ構造の構築や更新などのデータ管理も容易にでき、運用管理性を向上でき、利用の拡大も容易に図ることができる。
【００９８】
そして、検索データ３５１Ａとして、出願人が関連する所定の文献情報であって出願人の氏名または名称が変更する直前の出願人の氏名または名称の出願人名情報３５１Ａ３を有した他の検索データ３５１Ａのコード情報を、親コード情報３５１Ａ９として関連付けたデータ構造としている。このため、出願人が関連する文献情報の関連性を、簡単なデータ構造で利用者に容易に認識させることができる。さらには、図５に示すような出願人の関連系統図として報知させることも容易にできる。
【００９９】
また、出願人の氏名または名称が最新である場合には、出願人の氏名または名称が変更された直後の文献情報がないので、親コード情報を空情報とすることで、出願人の氏名または名称が最新であることが容易に認識でき、出願人の関連性を容易に認識させることができるとともに、関連等系図の報知も容易にできる。
【０１００】
さらに、出願人の氏名または名称が変更した内容に関する変更内容情報を１つのレコードとして関連付けて検索データ３５１Ａを構成している。このため、出願人のより詳細な関連性を簡単なデータ構造で利用者に報知することができる。
【０１０１】
そして、出願人名情報に基づいて法人格を特定する法人格特定コードに関する日本語法人格情報３５１Ａ６と、出願人の住所または居所に関する場所情報に基づいて管轄地方自治を特定する地方自治特定コードに関する国県コード情報３５１Ａ２とを、検索データ３５１Ａとして１つのレコードに関連付けている。このため、簡単なデータ構造で、所定の出願人を確実に特定でき、適切な出願人に関する文献情報の検索や出願人の関連性などの検索を得ることができる。
【０１０２】
さらに、検索データ３５１Ａとして出願人の氏名または名称の英語読みをアルファベット表記される文字データの英字法人格情報３５１Ａ７を１つのレコードとして関連付けている。このため、英語による検索も可能となり、より利用の拡大が容易に図れる。
【０１０３】
また、工業所有権に関わる項目の内容に関する項目内容情報を複数有し頒布される文献情報について検索するために、頒布される文献情報の出願番号に関する出願番号情報と、出願人の氏名または名称に関する出願人名情報とを、１つのレコードとして関連付けるとともに、それぞれ個別のコード情報を関連付けて１つのレコードとしての報知データ３５２Ａを複数記録したテーブル構造の検索蓄積データベース３５２を構築する。このため、出願人が関連し合う文献情報の検索が簡単なデータ構造で可能となり、容易な検索が得られる構成を容易に得ることができる。
【０１０４】
そして、報知データ３５２Ａのコード情報３５２Ａ２を、この報知データ３５２Ａの出願人名情報３５２Ａ３と同一人格の出願人名情報３５１Ａ３を有した読取マスタデータ３５１における検索データ３５１Ａのコード情報３５１Ａ１と同一としている。このため、報知データ３５２Ａのコード番号３５２Ａと検索データ３５１Ａのコード番号３５１Ａ１とが同一であることから、簡単なデータ構造で読取マスタデータベース３５１および検索蓄積データベース３５２の関連性が得られ、検索データ３５１Ａに基づいて所定の出願人に関連する他の検索データ３５１Ａから対応する報知データ３５２Ａを検索して文献情報に関する出願番号情報３５２Ａ１を検出することができ、出願人が関連する文献情報を簡単なデータ構造で検索できる構成を容易に得ることができる。
【０１０５】
また、出願人名情報に基づいて法人格を特定する法人格特定コードに関する日本語法人格情報３５２Ａ６と、出願人の住所または居所に関する場所情報に基づいて管轄地方自治を特定する地方自治特定コードに関する国県コード情報３５２Ａ７とを、報知データ３５２Ａとして１つのレコードに関連付けている。このため、簡単なデータ構造で、所定の出願人を確実に特定でき、適切な出願人に関する文献情報の検索や出願人の関連性などの検索を得ることができる。
【０１０６】
さらに、報知データ３５２Ａの日本語法人格情報３５２Ａ６および国県コード情報３５２Ａ７は、検索データ３５１Ａの日本語法人格情報３５１Ａ６および国県コード情報３５１Ａ２と同様に設定している。このため、同一の情報に設定され、簡単なデータ構造で読取マスタデータベース３５１および検索蓄積データベース３５２の同一人格の出願人に関する報知データ３５２Ａおよび検索データ３５１Ａの同期が得られ、出願人が関連する文献情報を簡単なデータ構造で検索できる構成を容易に得ることができる。
【０１０７】
また、読取マスタデータベース３５１および検索蓄積データベース３５２の構築の際、頒布される文献情報の項目内容情報を利用したため、検索のためのデータ構築が容易にでき、検索するための構成の構築が容易にできる。なお、例えばサーバ入力手段３２０による入力操作にて構築するなどしてもよい。
【０１０８】
そして、これら読取マスタデータベース３５１および検索蓄積データベース３５２を用い、検索要求情報取得手段３６３にて所定の出願人に関する文献情報の検索を要求する旨の検索要求情報を取得すると、報知制御手段３６４により、検索要求情報に記載された検索対象の所定の出願人と同一人格の出願に関する出願人名情報を有した読取マスタデータ３５１の検索データ３５１Ａを検索してそのコード情報３５１Ａ１およびグループコード情報３５１Ａ８を取得し、この取得したグループコード情報３５１Ａ８を有した他の検索データ３５１Ａのコード情報３５１Ａ１を取得する。そして、これら取得したコード情報３５１Ａ１を有した報知データ３５２Ａを検索蓄積データベース３５２から検出して出願番号情報３５２Ａ１を取得し、出願番号を報知する制御をし、利用者に報知している。このため、簡単なデータ構造を利用して出願人が関連する文献情報の検索が容易に得られる。したがって、工業所有権に関わる文献情報の運用が容易にできるとともに、良好な検索結果を得るためのデータ構造の構築や更新などのデータ管理も容易にでき、運用管理性を向上でき、利用の拡大も容易に図ることができる。
【０１０９】
そして、ネットワーク１１０を介して接続する端末装置２００からの検索要求によりサーバ装置３００で検索して報知するシステム構成としている。このため、簡単な端末装置２００の構成でも、文献情報の関連に関する検索が容易にでき、利用の拡大を容易に図ることができる。さらには、サーバ装置３００にて統括的に容量の大きな情報を管理でき、データの更新などが容易で、運用管理性を容易に向上できる。したがって、携帯電話などの処理能力が比較的に小さいものを用いても容易に検索でき、利用の拡大が容易に図れる。
【０１１０】
そして、パーソナルコンピュータなどにプログラムとして検索処理が実行可能に構成している。このため、プログラムを組み込む、さらにはプログラムを記録した記録媒体を用いることで、上記処理が容易に得られ、利用の拡大が容易に図れる。
【０１１１】
〔実施形態の変形〕
なお、本発明は、上述した一実施の形態に限定されるものではなく、本発明の目的を達成できる範囲で以下に示される変形をも含むものである。
【０１１２】
例えば、システム構成として説明したが、１台のパーソナルコンピュータを用い、頒布される文献情報を読み取って読取マスタデータベース３５１および検索蓄積データベース３５２を構築し、このパーソナルコンピュータを用いて検索する装置構成としたり、サーバ記憶手段３５０をネットワーク１１０を介してサーバ処理手段３６０が読み取る構成としたり、端末装置２００にサーバ装置３００のサーバ処理手段３６０の構成を設け、ネットワーク１１０を介してサーバ記憶手段３５０を読み取り、端末装置２００で検索処理したり、サーバ記憶手段３５０の構成をサーバ装置３００と切り離してネットワーク１１０を介して別のサーバ装置として構成したり、読取マスタデータベース３５１および検索蓄積データベース３５２をそれぞれ別のサーバ装置として構築したりするなど、いずれの形態とすることができる。
【０１１３】
そして、報知データ３５２Ａを作成する旨の入力操作により、読取マスタデータベース３５１を構築する処理とは別に、サーバ読取手段３４０の動作制御により頒布される文献情報の項目内容情報を読み取って報知データベース３５２Ａを作成する動作としてもよい。同様に、読取マスタデータベース３５１の構築についても、検索データ３５１Ａを作成する旨の入力操作により、読取マスタデータベース３５１を構築する処理のみを実施し、検索蓄積データベース３５２を構築する処理と別の処理として実施させてもよい。
【０１１４】
また、関連系統図をも報知する構成としたが、単に出願番号を報知するのみとしてもよい。さらには、報知する出願番号から文献情報の他の項目内容情報や文献内容に関する情報などを検索して報知できる構成を加えるなどしてもよい。
【０１１５】
そして、報知する形態としては、表示させる他、音声出力や印刷出力など、利用者が認識できるいずれの方法をも適用できる。そして、表示形態としては、コマンドモードによる表示の他、ウエッブブラウザによる画面表示にて表示される表示形態など、いずれの表示形態が利用できる。
【０１１６】
その他、本発明は、上述した一実施の形態および実施形態の変形のみに限ることなく、その他、本発明の目的を逸脱しない範囲で、例えばデータ構造を変更したり、データ構造の項目を設定したり、処理のための構成を変更するなど、様々な応用が可能である。
【産業上の利用可能性】
【０１１７】
本発明は、特許や実用新案、意匠、商標などの他、例えば外国文献や商号など広義の意味の工業所有権に関わる文献情報を検索する構成に利用できる。また、文献情報としては、各種公報や整理標準化データによる頒布形態の他、いずれの形態で頒布される工業所有権に関わる全ての項目の内容に関する情報を対象とすることができる。
【図面の簡単な説明】
【０１１８】
【図１】本発明の一実施の形態に係る文献情報検索システムの概略構成を示す概念図である。
【図２】前記一実施の形態における端末装置の概略構成を示すブロック図である。
【図３】前記一実施の形態におけるサーバ装置の概略構成を示すブロック図である。
【図４】前記一実施の形態における読取マスタデータのテーブルデータであるデータ構造を示す模式図である。
【図５】前記一実施の形態における出願人の関連性を示す概念図である。
【図６】前記一実施の形態における検索蓄積データベースのテーブル構造を示す模式図である。
【符号の説明】
【０１１９】
１００…文献情報検索システム
１１０…ネットワーク
２００…端末装置
２３０…出力手段としての表示手段
２５２…検索要求手段
３００…サーバ装置
３４０…読取手段としてのサーバ読取手段
３５０…記憶手段であるサーバ記憶手段
３５１…記憶手段である第１の記憶手段としての読取マスタデーベース
３５１Ａ…検索データ
３５１Ａ１，３５２Ａ２…コード情報
３５１Ａ２，３５２Ａ６…地方自治特定コード情報としての国県コード情報
３５１Ａ３，３５２Ａ３…出願人名情報
３５１Ａ６，３５２Ａ６…法人格特定コード情報としての日本語法人格情報
３５１Ａ８…集合特定情報としてのグループコード情報
３５１Ａ９…親コード情報
３５１Ａ１０…変更内容情報としての名称変更フラグ情報
３５２…記憶手段である第２の記憶手段としての検索蓄積データベース
３５２Ａ…報知データ
３５３…蓄積手段である蓄積領域としての審査経過情報データベース
３６２…検索データ生成手段としての検索蓄積データベース構築手段
３６３…要求情報取得手段としての検索要求情報取得手段
３６４…報知制御手段
【図１】
2005099938.tif 000003
【図２】
2005099938.tif 000004
【図３】
2005099938.tif 000005
【図４】
2005099938.tif 000006
【図５】
2005099938.tif 000007
【図６】
2005099938.tif 000008